(57)【要約】【課題】構造が簡単で、かつ、組立が容易な蓋体であって、蓋板をワンタッチで開閉でき、液切れのよい塗料その他高粘度液容器の蓋体を提供すること。【解決手段】注出口を具えたケース本体と、該ケース本体にスライド自在に装着された蓋板部材と蓋作動部材とを備えた容器の蓋体であって、ケース本体と蓋板部材との間に、蓋板部材をケース本体の注出口を閉鎖するよう付勢するばねが弾装されていることを特徴とする。【選択図】　　　　図１
2004091008.tif 000002
【特許請求の範囲】
【請求項１】
注出口を具えたケース本体と、該ケース本体にスライド自在に装着された蓋板部材と蓋作動部材とを備えた容器の蓋体であって、
ケース本体と蓋板部材との間に、蓋板部材をケース本体の注出口を閉鎖するよう付勢するばねが弾装されていることを特徴とする容器の蓋体。
【請求項２】
蓋板部材が、注出口を開閉するカバー板と、蓋作動部材に係合される係合軸を架設した係合板を具えており、
係合板と、ケース本体の注出口外側の基板に、ばね取付部が設けられ、二つのばね取付部の間に引張りばねが弾装されていることを特徴とする請求項１記載の容器の蓋体。
【請求項３】
蓋体のケース本体の後端部に、把手を連設したことを特徴とする請求項１〜２記載の容器の蓋体。
【請求項４】
蓋板部材が、注出口を被うカバー板と、ばね受け部と蓋作動部材に係合される係合軸を架設した係合板を具えており、
基板の前方両側部に設けられたばね取付部に張設された引張りばねの胴部が、ばね受け部に弾装されていることを特徴とする請求項１記載の容器の蓋体。
【請求項５】
蓋作動部材が、ケース本体に廻動自在に取着され、押レバーと蓋板部材の係合軸を抱持する二又杆とを具えていることを特徴とする請求項１〜４記載の容器の蓋体。
【請求項６】
ケース本体と、上部に蓋板の後端を枢着し、ケース本体に廻動自在に取着された押レバーとを備えた蓋体であって、
ケース本体に、注出口と、ばね取付部と押レバー取付部を具えた取付板とを配設し、
前記押レバー取付部に、上端部に取付ピンを介して蓋板を枢着した押レバーを廻動自在に取り付け、
蓋板にばね取付部を設け、ケース本体と蓋板のばね取付部との間に引張りばねを張設したことを特徴とする容器の蓋体。
【請求項７】
ケース本体と、上部に蓋板の後端を枢着し、ケース本体に廻動自在に取着された押レバーとを備えた蓋体であって、
ケース本体に、注出口と、ピン取付孔を具えた取付板を配設し、
上部にピン取付孔を設けて注出口に当接する蓋板を枢着した押レバーを、前記ピン取付孔にピンを介して廻動自在に枢着し、
ピンに基板と押レバーの押え板との間にねじりばねを巻回弾装させたことを特徴とする容器の蓋体。
【請求項８】
ケース本体が、基板に容器口筒部内部に連通する通気孔を具えた通気筒を立設し、
蓋板部材のスライド蓋板下面に通気孔を開閉するシール面を設けていることを特徴とする請求項１〜７記載の容器の蓋体。
【発明の詳細な説明】
【０００１】
【発明の属する技術分野】
本発明は、容器の蓋体、とくに液切れをよくしたスライド式蓋体を具えた塗料、その他高粘度液容器用の蓋体に関する。
【０００２】
【従来の技術】
塗料容器において、注ぎ口（１３）を開閉する滑動可能な滑り板（１７）と滑り板（１７）後端に連結した操作てこ（１９）とを具え、滑り板（１７）を板ばね（２３）を介して固定用心鉄（２７）にねじ（２５）で取り付け、板ばね（２３）の耳（２９）と滑り板（１７）後方の切出し部分（３５）との間につる巻ばね（３３）を弾装した蓋体であって、操作てこ（１９）を廻動操作することによって、滑り板（１７）前端部を注ぎ口（１３）の縁上に押さえながら、滑動させるようにした撹拌機を装着した塗料容器の蓋体は、特公平７−１２１３５１号公報に記載されているよう従来より公知である。
【０００３】
【発明が解決しようとする課題】
しかしながら、上記従来技術は、撹拌機を装着するため、設計上の制約を受け、蓋体自体の構成が複雑にならざるを得ないという問題があった。
滑り板（１７）は、固定用心鉄（２７）にばね板（２３）を介してねじ（２５）によって取り付けられ、後方では、案内筒（９）垂直壁（４７）の上面で滑り板（１７）が支持されているだけであるので、滑り板（１７）が安定して確実に支持されないという問題点があった。
【０００４】
滑り板（１７）を注ぎ口（１３）に押圧させるためには、滑り板（１７）の上方に板ばね（２３）を配設し、押圧力を付与しなければならず、そのため、板ばね（２３）の耳（２９）につる巻ばね（３３）の一端を連結しているので、滑り板（１７）の駆動に二つのばねを必要とし、部品数が増え、構造も複雑になるという問題点があった。
【０００５】
滑り板（１７）の開閉は凹所（４５）を軸心として廻動する操作てこ（１９）を操作して行うようにしているが、開放作動時には、操作てこ（１９）の縦溝（３９）の下縁が、滑り板（１７）の折曲部（３７）に係合して、滑り板（１７）を右方に摺動させるようにしているので、操作てこ（１９）により折曲部（３７）ひいては滑り板（１７）を時計方向に回転させるモーメントが働き、滑り板（１７）前端部が浮き上がるよう作用する。
それを防ぐためにも、板ばね（２３）を必要とするとともに、滑り板（１７）に剛性を付与するためにも、鋼製のものを用いなければならないという問題が生じた。
【０００６】
本発明は、上記の問題点を解決することを課題として、構造が簡単で、かつ、組立が容易な蓋体であって、蓋板をワンタッチで開閉でき、液切れのよい塗料その他高粘度液容器の蓋体を提供することを目的とする。
【０００７】
【課題を解決するための手段】
本発明は、上記の課題を解決するため、容器の蓋体として、注出口を具えたケース本体と、該ケース本体にスライド自在に装着された蓋板部材と蓋作動部材とを備えた容器の蓋体であって、ケース本体と蓋板部材との間に、蓋板部材をケース本体の注出口を閉鎖するよう付勢するばねが弾装されていることを特徴とする構成を採用する。
【０００８】
具体的な実施形態として、蓋板部材が、注出口を開閉するカバー板と、蓋作動部材に係合される係合軸を架設した係合板を具えており、係合板と、ケース本体の注出口外側の基板に、ばね取付部が設けられ、二つのばね取付部の間に引張りばねが弾装されていることを特徴とする構成を採用する。
【０００９】
上記構成に付加する把手として、蓋体のケース本体の後端部に、把手を連設したことを特徴とする構成を採用する。
【００１０】
具体的な実施形態として、蓋板部材が、注出口を被うカバー板と、ばね受け部と蓋作動部材に係合される係合軸を架設した係合板を具えており、基板の前方両側部に設けられたばね取付部に張設された引張りばねの胴部が、ばね受け部に弾装されていることを特徴とする構成を採用する。
【００１１】
蓋作動部材の実施例として、蓋作動部材が、ケース本体に廻動自在に取着され、押レバーと蓋板部材の係合軸を抱持する二又杆とを具えていることを特徴とする構成を採用する。
【００１２】
具体的な実施形態として、ケース本体と、上部に蓋板の後端を枢着し、ケース本体に廻動自在に取着された押レバーとを備えた蓋体であって、ケース本体に、注出口と、ばね取付部と押レバー取付部を具えた取付板とを配設し、前記押レバー取付部に、上端部に取付ピンを介して蓋板を枢着した押レバーを廻動自在に取り付け、蓋板にばね取付部を設け、ケース本体と蓋板のばね取付部との間に引張りばねを張設したことを特徴とする構成を採用する。
【００１３】
具体的な別実施形態として、ケース本体と、上部に蓋板の後端を枢着し、ケース本体に廻動自在に取着された押レバーとを備えた蓋体であって、ケース本体に、注出口と、ピン取付孔を具えた取付板を配設し、上部にピン取付孔を設けて注出口に当接する蓋板を枢着した押レバーを、前記ピン取付孔にピンを介して廻動自在に枢着し、ピンに基板と押レバーの押え板との間にねじりばねを巻回弾装させたことを特徴とする構成を採用する。
【００１４】
具体的な別実施形態として、ケース本体が、基板に容器口筒部内部に連通する通気孔を具えた通気筒を立設し、蓋板部材のスライド蓋板下面に通気孔を開閉するシール面を設けていることを特徴とする構成を採用する。
【００１５】
【発明の実施の形態】
次に、本発明の第１実施形態の蓋体について、図面を参照して説明する。
図１において、Ａは塗料その他高粘度の内容液を収納する容器、Ｂは容器Ａの口筒部に取着された蓋体である。
【００１６】
図１，２に示すように、容器Ａは、口筒部１と横断面角形または楕円形の胴部２、胴部２と同形の肩部３、底部とを具えており、口筒部１は、肩部の側部周縁に沿って位置し、外周にはねじ４が螺設されている。
胴部２の断面形状は、円形でもよく、口筒部１の位置も中心近くに設けてもよい。
【００１７】
蓋体Ｂは、ケース本体５と、ケース本体５にスライド自在に装着された蓋板部材６と、蓋作動部材７とを具えており、ケース本体５は、注出口部８と、作動部材取付部９とからなっており、基板１０と、基板１０に連設された多数の側板とによって構成されている。
【００１８】
図２，３に示すように、ケース本体５の基板１０の前端部には、開口１１が穿孔され、開口１１の前端縁には、中央上端を頂点１２とする三角形の傾斜板１３が立設され、開口１１の左右側縁に沿って後方に延びる側板１４Ａ　，１４Ｂ　が立設されている。
傾斜板１３の各傾斜辺と側板１４Ａ　，１４Ｂ　の前端とを結ぶ斜向板１５Ａ　，１５Ｂ　が連設されており、開口１１の後端縁には、仕切り板１６が立設されている
。
【００１９】
傾斜板１３の頂点１２と斜向板１５Ａ　，１５Ｂ　の上端縁、側板１４Ａ　，１４Ｂ　と仕切り板１６の上端縁によって、開口１１に連続する注出口１７が形成されている。
開口１１を囲んで、容器Ａの口筒部１に螺合される取付筒１８が垂設され、取付筒１８には、ねじ４に螺合するねじ１９が螺設されている。
上記取付筒１８、開口１１、注出口１７によって、ケース本体５の注出口部８が構成される。
【００２０】
基板１０の後端部には、切欠部２０が形成され、切欠部２０前端には、基板１０端縁より上下に延びる係止板２１が設けられ、係止板２１を境として、側板１４Ａ　，１４Ｂ　の後端部は下方に垂下し拡巾された支持板部２２Ａ　，２２Ｂ　となっている。
係止板２１と支持板部２２Ａ　，２２Ｂ　の下端を結んで底板２３が連設され、後端には、基板１０の位置よりやや上方に達する端板２４が立設されている。
【００２１】
支持板部２２Ａ　，２２Ｂ　には、受け溝２５Ａ　，２５Ｂ　が形成され、支持板部２２Ａ　，２２Ｂ　の外側には、受け溝形成部が上端から底板２３下端まで通じて突出している。
係止板２１、支持板部２２Ａ　，２２Ｂ　、受け溝２５Ａ　，２５Ｂ　、底板２３、端板２４によって、作動部材取付部９が形成されている。
【００２２】
基板１０の外周全周に渡って、側周壁２６が垂設されており、取付筒１８の部分では取付筒１８と周面を共通し、容器Ａの肩部３の両側部では、肩部３よりも垂下した一定巾の位置決め片２７が形成されている。
開口１１に対応する基板１０の側部には、外周縁に沿って取付孔２８を設けた半円状のばね取付部２９が設けられている。
【００２３】
図１，２，４に示すように、蓋板部材６は、注出口１７を覆う前半部のカバー板３０と、両側に突出部３１Ａ　，３１Ｂ　を有し、蓋作動部材７に係合する後半部の係合板３２とからなるスライド蓋板３３を具えている。
【００２４】
カバー板３０の前端下端は鋭角となっており、その両側縁には、側板１４Ａ　，１４Ｂ　に摺接する側壁３４Ａ　，３４Ｂ　が垂設されており、係合板３２の突出部３１Ａ　，Ｂ　外周の各周縁には、それぞれ基板１０に達する前壁３５と、側壁３６が垂設されている。
側壁３６には、前壁３５に沿って凹部３７が設けられ、その上端は、突出部３１の上面より突出して、取付孔３８を設けた半円状のばね取付部３９が形成されている。
【００２５】
係合板３２の後方中央には、前段の切欠部４０と該切欠部４０より拡巾され、後端縁まで延びる後段の切欠部４１が設けられ、切欠部４１には、係合板３２後端に沿って係合軸４２が配設されている。
係合軸４２は、下面を係合板３２の下面と面一として、係合板３２の突出部３１Ａ　，３１Ｂ　の間に架設されている。
【００２６】
図５に示すように、蓋作動部材７は、押レバー４５と二又部４６とからなっている。
押レバー４５は、前壁４７と後壁４８、後壁４８の上部から後方に延びる押え部４９、前壁４７と後壁４８および押え部４９の端縁を結ぶ側壁５０Ａ　，５０Ｂ　、底壁５１とからなっており、それぞれの側壁５０Ａ　，５０Ｂ　には底壁５１の底面、側壁５０Ａ　，５０Ｂ　後端縁に接して支持軸５２が突設されている。
【００２７】
二又部４６は、押レバー４５の前壁４７とその中間部から連設された二又杆５３によって構成され、二又杆５３は、前壁４７中間から前方に突出する円弧板５４と、円弧板５４に続き前壁４７と平行に上方に延びる垂直板５５とを具えている。
円弧板５４と垂直板５５の周縁部から一定長さの側板５６が連設されて、前壁４７と垂直板５５との間に、係合軸４２が支持されるようになっている。
【００２８】
次に、本実施形態の作用効果について説明する。
蓋体Ｂの組立は、まず、押レバー４５の側壁５０Ａ　，５０Ｂ　の下端から突出する支持軸５２をケース本体５の作動部材取付部９の支持板部２２Ａ　，２２Ｂ　の受け溝２５Ａ　，２５Ｂ　に嵌挿し、前壁４７を係止板２１に接合させるように位置させ、蓋作動部材７をケース本体５に取付ける。
【００２９】
次いで、係合軸４２を二又部４６に嵌挿して、蓋板部材６をケース本体５の側板１４Ａ　，１４Ｂ　にカバー板３０の側壁３４Ａ　，３４Ｂ　を接合させつつ、注出口１７を閉じるよう被嵌する。
次に、ケース本体５のばね取付部２９と蓋板部材６のばね取付部３９との間に、引張りばね５７Ａ　，５７Ｂ　を弾装する。
【００３０】
組立が完了した時には、引張りばね５７Ａ　，５７Ｂ　によって蓋板部材６は、ケース本体５に対して前方向と下方に付勢され、蓋板部材６は、前方向に移動して注出口１７を閉じる。
係合軸４２は、二又部４６に嵌挿されているので、押レバー４５の前壁４７が係止板２１に接合するまで、二又部４６を移動させる。
かくして、注出口１７を閉じた位置が維持される。
【００３１】
蓋体Ｂの容器Ａへの取付は、蓋体Ｂの取付筒１８を容器Ａの口筒部１に螺着し、ねじ込んでいくと、位置決め片２７が容器Ａの肩部３を圧接しつつ廻動し、肩部３側面に係合し、図２に示すように、蓋体Ｂが定まった位置に強固に取り付けられる。
【００３２】
塗料容器の使用にあたっては、容器Ａを傾け、図６に示すように、押レバー４５を時計方向に廻動すると、二又杆５３によって係合軸４２が引張りばね５７に抗して蓋板部材６を後方に引張り、注出口１７から塗料を注出することができる。
【００３３】
蓋板部材６を閉じるときには、押レバー４５から手を離すと、蓋板部材６は引張りばね５７に引っ張られて、前方にスライドし、スライド蓋３３のカバー板３０先端が内容物を切断するように作用するとともに、注出口１７から切り落として液切れをよくすることができる。
【００３４】
次に、蓋板部材に把手を取着した実施例について説明する。
図７において、ケース本体Ａの後端部は後方に延長され、把手６０が形成されている。
把手６０は、連結部６１と握り部６２とからなっており、連結部６１は、端板２４の上端から後方に延びる水平板６３、水平板６３に続く傾斜板６４と、支持板部２２Ａ　，２２Ｂ　より後方に延びるそれらの端縁を結ぶへの字型側板６５とからなっている。
【００３５】
握り部６２は、傾斜板６４に連設された前側壁６６と底壁６７、底壁６７の後縁に立設された後側壁６８と、各壁の端縁を結び側板６５に連続する側壁６９とからなっている。
【００３６】
容器の使用にあたっては、把手６０を持って容器Ａを保持することができ、場合によっては、片手で操作することもできるので、使い勝手をよくすることができる。
また、容器に取手を付ける必要がなくなるので、容器の成形が容易である。
【００３７】
次に、第２実施形態の蓋体について、図面を参照して説明する。
本実施形態は、ケース本体と蓋板部材との間の引張りばねの取付構造を変更したものである。
同一の構成については、符号に添字ａを付して図示し、第２実施形態について以下説明する。
【００３８】
図８において、Ａａは容器、Ｂａは蓋体であり、蓋体Ｂａは、ケース本体５ａと蓋板部材６ａと蓋作動部材７ａとを具えている。
【００３９】
図８，９に示すように、ケース本体５ａは、基板１０ａと基板１０ａに連設された側板とによって構成され、基板１０ａの前端部に穿孔された開口１１ａの各端縁に沿って傾斜板１３ａと、側板１４Ａ　ａ，１４Ｂ　ａと、仕切り板１６ａが垂設されており、傾斜板１３ａの上端縁と、側板１４Ａ　ａ，１４Ｂ　ａの端縁とを結ぶ斜向板１５Ａ　ａ，１５Ｂ　ａが連設されている。
傾斜板１３ａの両端と、側板１４Ａ　ａ，１４Ｂ　ａ、斜向板１５Ａ　ａ，１５Ｂ　ａ、仕切り板１６ａの上端縁によって注出口１７ａが形成されている。
【００４０】
基板１０ａには、仕切り板１６ａの端縁から、側板１４Ａ　ａ，１４Ｂ　ａの側面と面一に後方に延びる案内板７０が立設されている。
【００４１】
基板１０ａの後端部には、切欠部２０ａが形成され、切欠部２０ａの前端には、基板１０ａ端縁より上下に延びる係止板２１ａが設けられ、係止板２１ａに直交し、係止板２１ａを境として案内板７０に続く前方部と、下方に垂下、拡巾された後方部とからなる支持板７１Ａ　，７１Ｂ　が連設されている。
【００４２】
支持板７１Ａ　，７１Ｂ　の後方部と係止板２１ａ下端を結んで、底板２３ａが連設され、後端には、基板１０ａの位置よりやや上方に達する端板２４ａが立設されている。
支持板７１Ａ　，７１Ｂ　には、受け溝２５Ａ　ａ，２５Ｂ　ａが形成されており、係止板２１ａ、支持板７１Ａ　，７１Ｂ　、受け溝２５Ａ　ａ，２５Ｂ　ａ、底板２３ａ、端板２４ａによって、作動部材取付部９ａが構成されている。
【００４３】
開口１１ａに対応する基板１０ａの側部には、基板１０ａ外周縁に沿って取付孔２８ａを設けた半円状のばね取付部２９ａが設けられている。
【００４４】
図１０に示すように、蓋板部材６ａは、前半部のカバー板３０ａと後半部の係合板３２ａとからなるスライド蓋板３３ａとを具えており、カバー板３０ａの両側には、側板１４Ａ　ａ，１４Ｂ　ａに摺接する側壁３４Ａ　ａ，３４Ｂ　ａが垂設され、係合板３２ａの側縁には、側周壁７２Ａ　，７２Ｂ　が垂設されている。
側周壁７２Ａ　，７２Ｂ　の前端下端には、内方に突出し、案内板７０に摺接する突出板７３が突設されている。
【００４５】
係合板３２ａの下面には、後方部の中央近くに取付孔７４を設けた一対の半円状のばね取付部７５Ａ　，７５Ｂ　が垂設されており、その後方には、切欠部４０ａが設けられている。
【００４６】
側周壁７２の切欠部４０ａから後方の部分は、突出板７６となっており、突出板７６の間には、切欠部４０ａの後端と一致し、ケース本体５ａの支持板７１の上面に摺接するような位置に係合軸７７が架設されている。
【００４７】
蓋作動部材７ａは、前記第１実施形態と同様の押レバー４５ａと二又部４６ａとからなっており、二又部４６ａには、蓋板部材６ａの係合軸７７が支持されており、ケース本体５ａのばね取付部２９ａと蓋板部材６ａ下面のばね取付部７５との間には引張りばね７８が弾装されている。
【００４８】
次に、本実施形態の作用効果について説明する。
蓋体Ｂａの組立は、ケース本体５ａの作動部材取付部９ａに蓋作動部材７ａの押レバー４５ａを取り付け、次いで、ケース本体５ａのばね取付部２９ａと蓋板部材６ａの係合板３２ａのばね取付部７５との間に引張りばね７８を張設して、係合軸７７を二又部４６ａに嵌挿しつつ蓋板部材６ａをケース本体５ａの注出口１７ａに被嵌する。
【００４９】
組立てが完了したときには、図１０に示すように、引張りばね７８の一部が蓋板部材６ａからわずかに露出した状態で、蓋板部材６ａは前方向と下方に付勢され、カバー板３０ａによって、注出口１７ａを閉じると同時に、係合軸７７の前方向への移動により、二又部４６ａは支持軸５２ａを中心に廻動され、押レバー４５ａの前壁４７ａが係止板２１ａに係合して閉鎖位置が維持される。
【００５０】
容器の使用にあたっては、前記第１実施形態と同様に、押レバー４５ａを操作することによって蓋板部材６ａの開閉を行うことができ、同様の作用効果を得ることができる。
とくに、引張りばねが露出していないので、使用中に他の物品に触れることはなく見栄えもよい。
【００５１】
本実施形態において、前記第１実施形態と同様に、図７に示すような把手を取付ることができる。
把手は、ケース本体５ａの端板２４ａ、支持板７１を延長して、図７に示すような連結部と握り部を具備させたものである（図示しない）。
把手を取付けることによって、第１実施形態と同様の作用効果を得ることができる。
【００５２】
次に、第３実施形態の蓋体について、図面を参照して説明する。
本実施形態は、蓋体のケース本体と蓋板部材の形状を変え、ばねの装着方法を変更したものである。
第１実施形態と同一の構成については、添字ｂを付して図示して詳しい説明を省略し、以下第３実施形態について説明する。
【００５３】
図１１において、Ａｂは容器、Ｂｂは蓋体であり、蓋体Ｂｂは、ケース本体８０と、蓋板部材８１、蓋作動部材７ｂとからなっている。
図１１，１２に示すように、ケース本体８０は、基板８２と該基板８２に連接した側壁とからなっており、基板８２の前端部には、開口８３が穿孔されている。
開口８３の前端縁には、上端を外方に湾曲させた前壁８４が立設され、両側端縁には側壁８５Ａ　，８５Ｂ　が立設され、後端縁には仕切り壁８６が立設され、各壁の上端縁によって注出口８７が形成されている。
【００５４】
基板８２の後端には、基板８２から上下に延び、下段を拡巾された後端壁８８が連設され、後端壁８８の下端には、後方に延びる底板８９が連設されている。
仕切り壁８６と後端壁８８上段との間には、表面を側壁８５Ａ　，８５Ｂ　と面一とした側壁９０Ａ　，９０Ｂ　が連設されている。
底壁８９には、ほぼ側壁９０Ａ　，９０Ｂ　に沿って基板８２の高さとほぼ同一の高さを有し、所定の間隔をおいて対向して立設された一対の挟持板９１Ａ　，９１Ｂ　が設けられている。
【００５５】
第１実施形態と同様に、基板８２の下面には、開口８３を囲んで、容器Ａｂの口筒部に嵌着される取付筒が垂設されており、基板８２の外周に沿って、側周壁２６ｂが垂設されている。
開口８３に対応する基板８２の外周端縁に沿って、ばね取付部９２Ａ　，９２Ｂ　が設けられている。
【００５６】
図１３に示すように、蓋板部材８１は、注出口８７のカバー部９３と係合部９４と、その中間のばね受け部９５とからなっており、カバー部９３は、注出口８７を開閉する角形部と後側の半円部とからなるカバー板９６と、角形部の端縁から下垂する側壁９７、半円部の周縁から下垂する円弧周壁９８とを具えている。
係合部９４は、カバー板９６と同一の面上にあるコ字形の係合板９９と、係合板９９の前端からやや傾斜して垂下する前壁１００と側壁９７と面一の側壁１０１Ａ　，１０１Ｂ　とを具えており、側壁１０１Ａ　，１０１Ｂ　の上端部には、係合軸１０２が架設されている。
【００５７】
ばね受け部９５は、中央を頂点として湾曲する上壁１０３と、該上壁１０３に交差する円弧周壁９８とによって形成されており、上壁１０３の両端縁から側壁９７と側壁１０１とを接続する連結板１０４が垂設されている。
ばね受け部９５には、基板８２のばね取付部９２Ａ　，９２Ｂ　に端部を取り付けられた引張りばね１０５が、上壁１０３と円弧周壁９８に圧接支持され、弾装されるようになっている。
【００５８】
蓋作動部材７ｂは、前記第１実施形態のものと同一の押レバー４５ｂと二又部４６ｂとからなっており、押レバー４５ｂは、支持軸５２ｂが一対の挟持板９１Ａ　，９１Ｂ　の間に廻転可能に枢支されており、二又部４６ｂには係合軸１０２が保持されるようになっている。
【００５９】
次に、本実施形態の作用効果について説明する。
蓋体Ｂｂの組立は、蓋作動部材７ｂをケース本体８０に取着し、次いで、二又部４６ｂに係合軸１０２を嵌挿して、蓋板部材８１を基板８２に被嵌する。
最後に、引張りばね１０５の両端をばね取付部９２に取付け、引張りばね１０５の胴部をばね受け部９５に嵌挿することによって組立が完了する。
【００６０】
組立が完了したときには、前記各実施形態と同様に、引張りばね１０５によって、蓋板部材８１は前方向と下方向に付勢され、注出口８７が閉じられる。
【００６１】
容器の使用にあたって、前記各実施形態と同様に、押レバー４５ｂを操作することによって蓋板部材８１を摺動させ、注出口８７の開閉を行うことができる。
【００６２】
注出にあたって、注出口８７の前壁上端部は、湾曲しているので内容液を滑らかに流出し、注出口８７を閉じるときには、カバー板９６が流れを切断して注出口８７を閉じるので、注出口８７の周辺を汚すことはない。
【００６３】
次に、第４実施形態の蓋体について、図面を参照して説明する。
本実施形態は、蓋板を操作部材に枢着するようにしたもので、図１４において、Ａｃは容器、Ｂｃは蓋体である。
蓋体Ｂｃは、ケース本体１１０と該ケース本体１１０に取着され、蓋板１１１を枢着した押レバー１１２とからなっている。
【００６４】
図１４，１５に示すように、ケース本体１１０は、開口１１３を穿孔した基板１１４を具え、開口１１３の前端には、上端を外方に湾曲させた前壁１１５が、両側および後端には、それぞれ側壁１１６と後壁１１７が立設され、四つの壁面の上端縁によって注出口１１８が形成されている。
後壁１１７の両側端後方には、表面が側壁１１６の表面と面一とした細巾の取付板１１９が連設されており、該取付板１１９の前端部上方には、ばね取付孔１２０を設けたばね取付部１２１が設けられている。
【００６５】
基板１１４の後端には、立上がり板１２２とその上端に続く傾斜板１２３が連設されており、取付板１１９の立上がり板１２２近くには、外方に突出する突出軸１２４を突設した取付部１２５が形成されている。
基板１１４の下面には、開口１１３を囲み、容器Ａｃの口筒部１ｃに取着される取付筒１２６が垂設されており、基板１１４外周縁に沿って前壁１２７と側壁１２８とからなる側周壁が垂設されている。
【００６６】
図１４，１５に示すように、押レバー１１２は、両側の取付側板１２９と、押え板１３０とからなっている。
取付側板１２９は、前端縁１３１と下端縁１３２、上端縁１３３と、上端縁１３３から後方に傾斜する傾斜端縁１３４、下端縁１３２と傾斜端縁１３４を結ぶ円弧端縁１３５を有しており、円弧端縁１３５の中心には、取付板１１９の突出軸１２４が嵌挿される取付孔１３６が穿孔されている。
取付側板１２９の下端縁１３２、円弧端縁１３５は、取付板１１９の外側で、一定巾の基板１１４の側壁１２８の上面に当接している。
【００６７】
取付側板１２９の上端部には、前端縁１３１に沿って蓋板１１１取付のための取付孔１３７が穿孔されており、取付側板１２９の上端縁１３３と傾斜端縁１３４の中間部まで結ぶ連結カバー板１３８が連設されている。
連結カバー板１３８の下端には、後方に延びる前記押え板１３０が連設されており、押え板１３０の両側には、取付側板１２９の表面と面一にカバー壁１３９が垂設されている。
連結カバー板１３８の前端には、蓋板１１１に係合する押え１４０が連設されている。
【００６８】
蓋板１１１は角形の板体で、その後端には、軸受け１４１が設けられ、取付ピン１４２を介して取付側板１２９に枢着されるようになっており、中間部には、側端縁に沿って取付孔１４３を設けたばね取付部１４４が設けられている。
蓋板１１１の注出口１１８閉鎖時には、取付側板１２９の下端縁１３２は、基板１１４の表面に当接し、取付孔１３７は、蓋板１１１の中心線上に位置するようになっている。
【００６９】
ケース本体１１０のばね取付部１２１と蓋板１１１のばね取付部１４４との間には、引張りばね１４５が張設され、蓋板１１１は、後方向、下方向に付勢され、蓋板１１１の底面は、注出口１１８を形成する壁面の上端縁を均等に圧接し、注出口１１８が閉鎖される。
【００７０】
次に、本実施形態の作用効果について説明する。
蓋体Ｂｃの組立は、蓋板１１１を取付ピン１４２を介して枢着した取付側板１２９の取付孔１３６を、取付板１１９の突出軸１２４に嵌挿して、押レバー１１２をケース本体１１０に取り付け、蓋板１１１とケース本体１１０との間に引張りばね１４５を弾装することによって簡単に組立てられる。
【００７１】
内容液の注出にあたっては、押レバー１１２の押え板１３０を上から押さえると、図１６に示すように、取付側板１２９は、取付板１１９の突出軸１２４を中心に廻動し、取付ピン１４２が廻動し、蓋板１１１が引張りばね１４５を引き伸ばして移動し、注出口１１８を開くことができる。
【００７２】
次いで、容器Ａｃを傾けると、内容物を注出口１１８より注出することができ、押レバー１１２から手を離すと、押レバー１１２は、引張りばね１４５で引き戻され、蓋板１１１が閉鎖される。
その際、取付ピン１４２は取付板１１９の突出軸１２４を中心に廻動し、開閉の中間位置では、蓋板１１１の後端が上昇し、蓋板１１１先端が側壁１１６上端縁に圧接されるので、内容液を確実に切断して液切れをよくする。
【００７３】
次に、第５実施形態の蓋体について、図面を参照して説明する。
本実施形態は、前第４実施形態において、蓋板を傾斜させるとともにばねをねじりばねとしたものである。
【００７４】
図１７において、Ａｄは容器、Ｂｄは蓋体であり、蓋体Ｂｄは、ケース本体１５０と、該ケース本体１５０に取着され、蓋板１５１を枢着した押レバー１５２とからなっている。
【００７５】
ケース本体１５０は、開口１５３を穿孔した基板１５４を具えており、開口１５３の前端縁には、上端を外方に湾曲させた前壁１５５が立設され、両側には、前端を低く傾斜させた上端縁を有する側壁１５６が立設されている。
開口１５３の後端縁には、後壁１５７が立設され、各壁の上端縁によって側壁１５６の上端縁と同一の傾斜を有する注出口１５８が形成されている。
【００７６】
後壁１５７の両側端後方には、表面を側壁１５６の表面と面一とし、後壁１５７のほぼ中間までの高さとする取付板１５９が連設されており、取付板１５９の後端部には、ピン取付孔１６０が穿孔されている。
基板１５４の後端には、取付板１５９と接続する立上がり板１６１と、それに続く傾斜板１６２が連設されており、立上がり板１６１の片側には、取付板１５９に沿ってばね挿入孔１６３が設けられている。
【００７７】
基板１５４の下面には、開口１５３を囲むよう容器Ａｄの口筒部に取着される取付筒１６４が設けられ、基板１５４の外周縁に沿って前壁１５５から垂下する前壁面１６５と側壁面１６６とからなる外周壁が垂設されている。
【００７８】
図１７，１８に示すように、押レバー１５２は、両側の取付側板１６７と押え板１６８とを具えており、取付側板１６７は、基板１５４の取付板１５９の外側に位置し、前端縁１６９と下端縁１７０と、山形をなした上端縁１７１とを有している。
両側の山形上端縁１７１と結んで連結カバー板１７２が架設されており、上端縁１７１の下端から前記押え板１６８が後方に延びるよう連設され、押え板１６８の両側には、取付側板１６７の表面と面一にカバー壁１７３が垂設されている。
【００７９】
取付側板１６７の下端縁１７０の後端部には、ピン嵌挿孔１７４が穿孔されており、ピン嵌挿孔１７４、基板１５４の取付板１５９のピン取付孔１６０を通じてピン１７５が嵌挿され、押レバー１５２はピン１７５を介して基板１５４の取付板１５９に廻動自在に取着されている。
【００８０】
前端縁１６９の上端部には、蓋板１５１取付のためのピン取付孔１７６が穿孔されている。
【００８１】
蓋板１５１の後端には、軸受け１７７が形成され、該軸受け１７７内にピン１７８を挿入し、ピン１７８の端部をピン取付孔１７６に嵌挿して蓋板１５１を取付側板１６７に枢着している。
蓋板１５１は、傾斜した注出口１５８に接するよう取着されているが、取付側板１６７の下端縁１７０が基板１５４に当接するときには、ピン１７８の中心は閉鎖した蓋板１５１の中心線上に位置している。
【００８２】
基板１５４の取付板１５９には、後壁１５７に接して、蓋板１５１を押圧する押圧片１７９を上端に設けた押え板１８０が取着されている。
【００８３】
押レバー１５２を枢着するピン１７５には、ねじりばね１８１が装着され、ねじりばね１８１の一端は、ばね挿入孔１６３に挿通され、ねじりばね１８１の他端は、押え板１６８の下面に係合して、押え板１６８を反時計方向に付勢するようにしている。
【００８４】
次に、本実施形態の作用効果について説明する。
蓋体Ｂｄの組立にあたっては、ねじりばね１８１を巻回したピン１７５を基板１５４のピン取付孔１６０に嵌挿して押レバー１５２を取り付け、次いで、蓋板１５１を注出口１５８と押圧片１７９との間を通じて、後端の軸受け１７７を押レバー１５２のピン取付孔１７６に合致させ、両ピン取付孔１７６、軸受け１７７にピン１７８を嵌挿することによって組立てられる。
【００８５】
図１９に示すように、蓋板１５１の開放にあたって、押え板１６８を押さえると、押レバー１５２をねじりばね１８１に抗して時計方向に廻動させることができ、注出口１５８を開くことができる。
押レバー１５２から手を離すと、ねじりばね１８１の付勢により、押レバー１５２は、取付側板１６７の下端縁１７０が基板１５４に当接するまで廻動して、蓋板１５１が注出口１５８を閉鎖する。
その際、開閉の中間位置では、前記第４実施形態と同様に、蓋板１５１の後端を押し上げ、内容物を確実に切断して、液切れをよくすることができる。
【００８６】
前記実施形態では、ねじりばねを用いていたが、基板の傾斜板上面と押え板下面に、ばね受け突起を設け、圧縮ばねを弾装するようにしてもよい。
【００８７】
次に、第６実施形態の蓋体について、図面を参照して説明する。
本実施形態は、蓋板に空気置換用の通気筒を設け、内容液の注出を容易にしたものである。
以下、とくに第２実施形態に適用した実施形態について、相違点を中心に説明する。
図２０において、Ａｅは容器、Ｂｅは蓋体であり、蓋体Ｂｅは、ケース本体１９０と、蓋板部材１９１と蓋作動部材１９２とを具えている。
【００８８】
ケース本体１９０は、前端部に開口１９３を設けた基板１９４を具えており、該基板１９４には、開口１９３を囲んで、上端縁を注出口１９５とした注出口部１９６と、空気置換用の通気筒１９７が立設されている。
通気筒１９７は、基板１９４を貫通して容器の口筒部の内側に連通する通気孔１９８が穿孔されており、通気筒１９７の前後には、基板１９４に立設されたリブ１９９が連設され補強されている。
【００８９】
基板１９４の前端には、ばね取付部２００が立設されており、基板１９４の後端には、端板２０１が立設され、その後方には二つの挟持具からなる取付部２０２が設けられている。
取付部２０２には、蓋作動部材１９２が廻動自在に取着され、取付部２０２の後方には、把手２０３が連設されている。
【００９０】
蓋板部材１９１は、注出口１９５を開閉するスライド蓋板２０５と、スライド蓋板２０５の突出側部２０６の端縁から垂設された側周壁２０７とを具えている。
スライド蓋板２０５には、通気筒１９７に対応するよう位置して、底下面がスライド蓋板２０５下面より突出する底部が平坦な凹部２０８が刻設されており、その下面は、注出口封鎖時に通気筒１９７上端面に接合して通気孔１９８を閉鎖するシール面２０９となっている。
【００９１】
凹部２０８前方の突出側部２０６の両側部には、ばね取付部２１０が設けられている。
側周壁２０７の後端部には、蓋作動部材１９２に係合される係合軸２１１が架設されている。
【００９２】
蓋作動部材１９２は、押レバー２１２と二又杆２１３、支持軸２１４を具えており、基板１９４の取付部２０２に廻動自在に枢支され、二又杆２１３には、係合軸２１１が支持されるようになっている。
【００９３】
基板１９４のばね取付部２００と、スライド蓋板２０５のばね取付部２１０との間には、引張りばね２１５が弾装されている。
【００９４】
次に、本実施形態の作用効果について説明する。
蓋体Ｂｅの組立は、前記第２実施形態と同様に組み立てられるが、組立が完了したときには、引張りばね２１５によって、スライド蓋板２０５は前方向と下方向に付勢され、注出口１９５が閉鎖されると同時に、スライド蓋板２０５のシール面２０９によって通気孔１９８も閉鎖される。
【００９５】
容器Ａｅの使用にあたって、スライド蓋板２０５を開くときには、通気孔１９８が開放され、容器Ａｅ内に大気が導入され、内容液の注出が容易に行われる。
スライド蓋板２０５を閉じるときには、スライド蓋板２０５による内容物の切断とともに、シール面２０９が通気孔１９８を閉じることにより、内容物の流出が阻止されるので、液切れを更によくすることができる。
【００９６】
本実施形態の空気置換用の通気筒を設け、蓋板にシール面を設けることは、他のすべての実施形態にも適用できるものである。
また、前記各実施形態における注出口部の形状と注出部を開閉する蓋板の形状は、他の実施形態にも適用できるものである。
【００９７】
【発明の効果】
本発明は、上記のように構成されているから、次の効果を奏する。
注出口を具えたケース本体と、ケース本体に取着され、注出口を開閉する蓋板部材との間に注出口を閉鎖する方向に付勢するばねを弾装し、蓋操作部材すなわち押レバーを押下げることによって注出口を開き、押レバーから手を離すことによって、ばねの付勢によって注出口を閉じるようにしたから、操作が極めて簡単にできる。
【００９８】
蓋板を閉じるときに、ばねの作用によって、スライドして注出口を閉じるようにしているから、蓋板の鋭利な先端によって内容物を切断し、切られた内容物を押し出すようにするので、液切れがよくなり、注出口周辺も汚れない。
【００９９】
ばねによって、蓋板を下方に付勢するから、蓋板が注出口に圧接し、容器内の密封性が向上される。
【０１００】
注出口の形状を三角形としたときには、液の流出方向を集中させ、閉じるときには、蓋板による液切れをさらに向上させることができる。
蓋板を押レバーの上端に枢着し、開閉時に蓋板の後端を上昇させる時も、蓋板の液切れをよくすることができる。
【図面の簡単な説明】
【図１】本発明第１実施形態蓋体の斜視図である。
【図２】蓋体の断面立面図である。
【図３】ケース本体の上面図である。
【図４】蓋板部材の説明図で、（ａ）は上面図、（ｂ）は側面図である。
【図５】蓋作動部材の説明図で、（ａ）は上面図、（ｂ）は断面立面図、（ｃ）は側面図である。
【図６】蓋板部材の開閉時の説明図である。
【図７】蓋体の別実施例の説明図である。
【図８】第２実施形態蓋体の断面立面図である。
【図９】ケース本体の上面図である。
【図１０】蓋体の斜視図である。
【図１１】第３実施形態蓋体の断面立面図である。
【図１２】ケース本体の上面図である。
【図１３】蓋体の斜視図である。
【図１４】第４実施形態蓋体の断面立面図である。
【図１５】蓋体の斜視図である。
【図１６】蓋体の開閉時の説明図である。
【図１７】第５実施形態蓋体の断面立面図である。
【図１８】蓋体の斜視図である。
【図１９】蓋体の開閉時の説明図である。
【図２０】第６実施形態蓋体の断面立面図である。
【図２１】蓋板部材の半分を除いた蓋体の上面図である。
【符号の説明】
Ａ、Ａａ、Ａｂ、Ａｃ、Ａｄ、Ａｅ　容器
Ｂ、Ｂａ、Ｂｂ、Ｂｃ、Ｂｄ、Ｂｅ　蓋体
１、１ｃ　　　　　　　　　　　　　口筒部
５、５ａ、８０、１１０、１５０、１９０　ケース本体
６、６ａ、８１、１９１　　　　　　蓋板部材
７、７ａ、７ｂ、１９２　　　　　　蓋作動部材
８、１９６　　　　　　　　　　　　注出口部
９、９ａ、２０２　　　　　　　　　作動部材取付部
１０、１０ａ、８２、１１４、１５４、１９４　基板
１１、１１ａ、８３、１１３、１５３、１９３　開口
１３、１３ａ　　　　　　　　　　　傾斜板
１４Ａ　，Ｂ　、１４Ａａ，Ｂａ　　　　　側板
１５Ａ　，Ｂ　、１５Ａａ，Ｂａ　　　　　斜向板
１６、１６ａ　　　　　　　　　　　仕切り板
１７、１７ａ、８７、１１８、１５８、１９５　注出口
１８　　　　　　　　　　　　　　取付筒
２０、２０ａ　　　　　　　　　　切欠部
２１、２１ａ　　　　　　　　　　係止板
２２Ａ　，Ｂ　　　　　　　　　　　　支持板部
２３、２３ａ、８９　　　　　　　底板
２４、２４ａ、２０１　　　　　　端板
２５Ａ　，Ｂ　、２５Ａａ，Ｂａ　　　　受け溝
２６、２６ｂ　　　　　　　　　　側周壁
２９、２９ａ、３９、３９ａ、２００　ばね取付部
３０、３０ａ、９６　　　　　　　カバー板
３１Ａ　，Ｂ　　　　　　　　　　　　突出部
３２、３２ａ　　　　　　　　　　係合板
３３、３３ａ、２０５　　　　　　スライド蓋板
３４Ａ　，Ｂ　、３４Ａａ，Ｂａ、３６　側壁
３５　　　　　　　　　　　　　　前壁
３８　　　　　　　　　　　　　　取付孔
４０、４１、４０ａ　　　　　　　切欠部
４２、７７、１０２、２１１　　　係合軸
４５、４５ａ、４５ｂ、　　　　　押レバー
４６、４６ａ、４６ｂ　　　　　　二又部
４７、４７ａ　　　　　　　　　　前壁
４８　　　　　　　　　　　　　　後壁
４９　　　　　　　　　　　　　　押え部
５２、５２ａ、５２ｂ、２１４　　支持軸
５３、２１３　　　　　　　　　　二又杆
５４　　　　　　　　　　　　　　円弧板
５５　　　　　　　　　　　　　　垂直板
５７Ａ　，Ｂ　、７８、１０５、１４５、２１５　引張りばね
６０、２０３　　把手
６１　　　　　　連結部
６２　　　　　　握り部
７０　　　　　　案内板
７１Ａ　，Ｂ　　　　支持板
７２Ａ　，Ｂ　　　　側周壁
７３　　　　　　突出板
７５Ａ，Ｂ、９２Ａ，Ｂ、９５、１２１、１４４、２１０　ばね取付部
８４、１１５、１５５　　　　前壁
８５Ａ　，Ｂ　、１１６、１５６　側壁
８６　　　　　　仕切り壁
８８　　　　　　後端壁
９０Ａ　，Ｂ　　　　側壁
９１Ａ　，Ｂ　　　　挟持板
９３　　　　　　カバー部
９４　　　　　　係合部
９７　　　　　　側壁
９８　　　　　　円弧周壁
９９　　　　　　係合板
１１１、１５１　蓋板
１１２、１５２、２１２　押レバー
１１７、１５７　後壁
１１９、１５９　取付板
１２４　　　　　突出軸
１２５　　　　　取付部
１２９、１６７　取付側板
１３０、１８０　押え板
１３１、１６９　前端縁
１３２、１７０　下端縁
１３５　　　　　円弧端縁
１３６、１３７　取付孔
１４０　　　　　押え
１４１、１７７　軸受け
１６０、１７６　ピン取付孔
１７４　　　　　ピン嵌挿孔
１７５、１７８　ピン
１８１　　　　　ねじりばね
１９７　　　　　通気筒
１９８　　　　　通気孔
２０８　　　　　凹部
２０９　　　　　シール面
【図１】
2004091008.tif 000003
【図２】
2004091008.tif 000004
【図３】
2004091008.tif 000005
【図４】
2004091008.tif 000006
【図５】
2004091008.tif 000007
【図６】
2004091008.tif 000008
【図７】
2004091008.tif 000009
【図８】
2004091008.tif 000010
【図９】
2004091008.tif 000011
【図１０】
2004091008.tif 000012
【図１１】
2004091008.tif 000013
【図１２】
2004091008.tif 000014
【図１３】
2004091008.tif 000015
【図１４】
2004091008.tif 000016
【図１５】
2004091008.tif 000017
【図１６】
2004091008.tif 000018
【図１７】
2004091008.tif 000019
【図１８】
2004091008.tif 000020
【図１９】
2004091008.tif 000021
【図２０】
2004091008.tif 000022
【図２１】
2004091008.tif 000023